(57)【特許請求の範囲】
【請求項１】
第１のタイプと第２のタイプの二種のタイプのねじを有する湯水混合水栓の水栓本体と偏心管に兼用可能で水栓本体と偏心管との間に設置される分岐ソケットであって、
一端に第１の外ねじを有し、他端に前記第１の外ねじとは異なる第２の外ねじを有するとともに、両外ねじ間に分岐部を有するソケット本体と、
一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成されており、
第１のタイプのねじを有する水栓本体および偏心管に対応可能なようにソケット本体の他端と接続部材の一端を向き合わせてソケット本体の第２の外ねじと接続部材の内ねじを接続する一方、
第２のタイプのねじを有する水栓本体および偏心管に対応可能なようにソケット本体の一端と接続部材の他端を向き合わせてソケット本体の第１の外ねじと接続部材の内ねじを接続するよう構成されていることを特徴とする分岐ソケット。
【請求項２】
請求項１の分岐ソケットと共に湯水混合水栓の水栓本体と偏心管との間に設置されるアダプタであって、一端に第１の外ねじを有し、他端に前記第１の外ねじとは異なる第２の外ねじを有するアダプタ本体と、
一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成されており、
第１のタイプのねじを有する水栓本体および偏心管に対応可能なようにアダプタ本体の他端と接続部材の一端を向き合わせてアダプタ本体の第２の外ねじと接続部材の内ねじを接続する一方、
第２のタイプのねじを有する水栓本体および偏心管に対応可能なようにアダプタ本体の一端と接続部材の他端を向き合わせてアダプタ本体の第１の外ねじと接続部材の内ねじを接続するよう構成されていることを特徴とするアダプタ。
【請求項３】
一端に第１の外ねじを有し、他端に前記第１の外ねじとは異なる第２の外ねじを有するとともに、両外ねじ間に分岐部を有するソケット本体と、一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成された分岐ソケットと、
一端に第１の外ねじを有し、他端に前記第１の外ねじとは異なる第２の外ねじを有するアダプタ本体と、一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成されたアダプタとを用いて
第１のタイプのねじを有する湯水混合水栓の水栓本体と偏心管との接続と、第２のタイプのねじを有する湯水混合水栓の水栓本体と偏心管との接続とを行うにあたり、
第１のタイプのねじを有する水栓本体および偏心管間に分岐ソケットとアダプタを設置するため、
水用偏心管に設けたナットの第１の内ねじとソケット本体の第１の外ねじを接続する工程と
ソケット本体の第２の外ねじと接続部材の第２の内ねじを接続する工程と、
接続部材の第１の内ねじと水栓本体に設けた水導入部の第１の外ねじを接続する工程と、
湯用偏心管に設けたナットの第１の内ねじとアダプタ本体の第１の外ねじを接続する工程と、
アダプタ本体の第２の外ねじと接続部材の第２の内ねじを接続する工程と、
接続部材の第１の内ねじと水栓本体に設けた湯導入部の第１の外ねじを接続する工程を含む一方、
第２のタイプのねじを有する水栓本体および偏心管間に分岐ソケットとアダプタを設置するため、
水用偏心管に設けたナットの第２の内ねじとソケット本体の第２の外ねじを接続する工程と、
ソケット本体の第１の外ねじと接続部材の第１の内ねじを接続する工程と、
接続部材の第２の内ねじと水栓本体に設けた水導入部の第２の外ねじを接続する工程と、
湯用偏心管に設けたナットの第２の内ねじとアダプタ本体の第２の外ねじを接続する工程と、
アダプタ本体の第１の外ねじと接続部材の第１の内ねじを接続する工程と、
接続部材の第２の内ねじと水栓本体に設けた湯導入部の第２の外ねじを接続する工程とを含む湯水混合水栓の水栓本体と偏心管の接続方法。
【発明の詳細な説明】
【０００１】
【発明の属する技術分野】
この発明は、分岐ソケットおよびこの分岐ソケットと共に用いるアダプタならびに湯水混合水栓の水栓本体と偏心管の接続方法に関する。
【０００２】
【従来の技術】
図９に示すように、例えば台所の壁に水用偏心管６０および湯用偏心管６１を介して設けられているシングルレバー式の湯水混合水栓６２に分岐流路を形成して例えば食器洗い機等のホースＨ（図１４参照）を湯水混合水栓６２に接続するのに分岐ソケットおよびアダプタが用いられている。その手順は以下の通りである。
【０００３】
図９に示す状態で、偏心管６０，６１に設けた流量調節栓６０ａ，６１ａで止水したり、止水栓を閉めたりして、図１０に示すように、シングルレバー６３および吐水管６４を含む湯水混合水栓６２の水栓本体６６を偏心管６０，６１から左右のナット６７，６８を交互に少しずつ緩めて取り外す。
【０００４】
続いて、図１１に示すように、分岐ソケット６９およびアダプタ７０をそれぞれ水用偏心管６０および湯用偏心管６１に接続する。この場合、分岐ソケット６９の一端に設けた外ねじ７１をパッキン７２を介してナット６８の内ねじ６８ａに螺合する。また、アダプタ７０の一端に設けた外ねじ７３をパッキン７４を介してナット６７の内ねじ６７ａに螺合する。
【０００５】
続いて、図１２に示すように、分岐ソケット６９の他端に設けたナット８１とアダプタ７０の他端に設けたナット８０を交互に少しずつまわして水栓本体６６を偏心管６０，６１に取り付ける。この場合、水栓本体６６に設けた水導入部８３の外ねじ８３ａをパッキン８５を介してナット８１の内ねじ８１ａに螺合する。また、水栓本体６６に設けた湯導入部の外ねじをパッキン８９を介してナット８０の内ねじ８０ａに螺合する。
【０００６】
次に、図１３に示すように、分岐ソケット６９の分岐部９０にパッキン９１を介してバルブ９２を接続する。
【０００７】
続いて、図１４に示すように、バルブ９２を介して、前記ホースＨを分岐ソケット６９の分岐部９０に接続する。
【０００８】
最後に、図１５に示すように、流量調節栓６０ａの止水状態を解除したり、止水栓を開いたりして分岐ソケット６９および水用偏心管６０間、水導入部８３および分岐ソケット６９間、分岐ソケット６９およびバルブ９２間にそれぞれ水漏れがないかどうかをチェックする。
【０００９】
【発明が解決しようとする課題】
ところで、シングルレバー式の湯水混合水栓６２においては、水栓本体６６の水導入部８３の外ねじ８３ａおよび湯導入部の外ねじ、偏心管６０，６１のナット６８，６７の内ねじ６８ａ，６７ａとして、現行では第１のタイプと第２のタイプの二種のタイプのねじが用いられていることから、水栓本体と偏心管との間に分岐ソケットおよびアダプタを設置するにあたり、施工者は、第１のタイプのねじを持つ分岐ソケットおよびアダプタと、第２のタイプのねじを持つ分岐ソケットおよびアダプタとを予め準備する必要がある。
【００１０】
この発明は、前記の点に留意してなされたものであり、その目的は、二種のタイプのねじを有する水栓本体と偏心管に兼用できる分岐ソケットおよびこの分岐ソケットと共に用いるアダプタならびに湯水混合水栓の水栓本体と偏心管の接続方法を提供することである。
【００１１】
【課題を解決するための手段】
上記目的を達成するために、この発明の分岐ソケットは、第１のタイプと第２のタイプの二種のタイプのねじを有する湯水混合水栓の水栓本体と偏心管に兼用可能で水栓本体と偏心管との間に設置される分岐ソケットであって、
一端に第１の外ねじを有し、他端に前記第１の外ねじとは異なる第２の外ねじを有するとともに、両外ねじ間に分岐部を有するソケット本体と、
一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成されており、
第１のタイプのねじを有する水栓本体および偏心管に対応可能なようにソケット本体の他端と接続部材の一端を向き合わせてソケット本体の第２の外ねじと接続部材の内ねじを接続する一方、
第２のタイプのねじを有する水栓本体および偏心管に対応可能なようにソケット本体の一端と接続部材の他端を向き合わせてソケット本体の第１の外ねじと接続部材の内ねじを接続するよう構成されている。
【００１２】
また、この発明は別の観点から、前記分岐ソケットと共に湯水混合水栓の水栓本体と偏心管との間に設置されるアダプタであって、一端に第１の外ねじを有し、他端に前記第１の外ねじとは異なる第２の外ねじを有するアダプタ本体と、一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成されており、
第１のタイプのねじを有する水栓本体および偏心管に対応可能なようにアダプタ本体の他端と接続部材の一端を向き合わせてアダプタ本体の第２の外ねじと接続部材の内ねじを接続する一方、
第２のタイプのねじを有する水栓本体および偏心管に対応可能なようにアダプタ本体の一端と接続部材の他端を向き合わせてアダプタ本体の第１の外ねじと接続部材の内ねじを接続するよう構成されていることを特徴とするアダプタを提供する。
また、この発明は更に別の観点から、一端に第１の外ねじを有し、他端に前記第１の外ねじとは異なる第２の外ねじを有するとともに、両外ねじ間に分岐部を有するソケット本体と、一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成された分岐ソケットと、
一端に第１の外ねじを有し、他端に前記第１の外ねじとは異なる第２の外ねじを有するアダプタ本体と、一端に前記第２の外ねじに螺合する内ねじを有する袋ナットが抜止めリングを介して回動自在に取り付けられるとともに、他端に前記第１の外ねじに螺合する内ねじが形成されたナット部を備えている接続部材とより構成されたアダプタとを用いて
第１のタイプのねじを有する湯水混合水栓の水栓本体と偏心管との接続と、第２のタイプのねじを有する湯水混合水栓の水栓本体と偏心管との接続とを行うにあたり、
第１のタイプのねじを有する水栓本体および偏心管間に分岐ソケットとアダプタを設置するため、
水用偏心管に設けたナットの第１の内ねじとソケット本体の第１の外ねじを接続する工程と
ソケット本体の第２の外ねじと接続部材の第２の内ねじを接続する工程と、
接続部材の第１の内ねじと水栓本体に設けた水導入部の第１の外ねじを接続する工程と、
湯用偏心管に設けたナットの第１の内ねじとアダプタ本体の第１の外ねじを接続する工程と、
アダプタ本体の第２の外ねじと接続部材の第２の内ねじを接続する工程と、
接続部材の第１の内ねじと水栓本体に設けた湯導入部の第１の外ねじを接続する工程を含む一方、
第２のタイプのねじを有する水栓本体および偏心管間に分岐ソケットとアダプタを設置するため、
水用偏心管に設けたナットの第２の内ねじとソケット本体の第２の外ねじを接続する工程と、
ソケット本体の第１の外ねじと接続部材の第１の内ねじを接続する工程と、
接続部材の第２の内ねじと水栓本体に設けた水導入部の第２の外ねじを接続する工程と、
湯用偏心管に設けたナットの第２の内ねじとアダプタ本体の第２の外ねじを接続する工程と、
アダプタ本体の第１の外ねじと接続部材の第１の内ねじを接続する工程と、
接続部材の第２の内ねじと水栓本体に設けた湯導入部の第２の外ねじを接続する工程とを含む湯水混合水栓の水栓本体と偏心管の接続方法を提供する。
【００１３】
【発明の実施の形態】
以下、この発明の実施形態について説明する。
図１〜図５は、この発明の一実施形態を示す。
【００１４】
図１は、第１のタイプのねじを有する水栓本体および偏心管に対応可能なように位置させた分岐ソケットを示し、図２は、第２のタイプのねじを有する水栓本体および偏心管に対応可能なように位置させた分岐ソケットを示す。図３は、第１のタイプのねじを有する水栓本体および偏心管に対応可能なように位置させたアダプタを示し、図４は、第２のタイプのねじを有する水栓本体および偏心管に対応可能なように位置させたアダプタを示す。図５は、分岐ソケットおよびアダプタを第１のタイプのねじを有する水栓本体および偏心管の間に位置させた状態を示す。
【００１５】
図１、図３、図５において、分岐ソケット１は、ソケット本体２と接続部材３とよりなる。分岐ソケット１は、シングルレバー式の湯水混合水栓１２の水栓本体１３と水用偏心管１４ａとの間に設置される。
【００１６】
前記ソケット本体２は、一端に第１の外ねじ（第１のタイプの外ねじ）４を有し、他端に前記第１の外ねじ４とは異なる第２の外ねじ（第２のタイプの外ねじ）５を有するとともに、両外ねじ４，５間に分岐部６を有する。この分岐部６は、周端に外ねじ６ｃを有し、例えば図１３、図１４に示すように、パッキン９１を介してバルブ９２が接続される。前記外ねじ６ｃはバルブ９２に形成された内ねじ（図示せず）に螺合する。そして、バルブ９２を介して、例えば食器洗い機等のホースＨが分岐部６に接続される。
【００１７】
また、前記接続部材３は、一端に前記第２の外ねじ５に螺合する第２の内ねじ（第２のタイプの内ねじ）７を有する袋ナット８が抜止めリング９を介して回動自在に取り付けられるとともに、他端に前記第１の外ねじ４に螺合する第１の内ねじ（第１のタイプの内ねじ）１０が形成されたナット部１１を備えている。
【００１８】
また、図３、図４、図５において、１５は、アダプタで、前記分岐ソケット１と共に前記水栓本体１３と湯用偏心管１４ｂとの間に設置される。
【００１９】
前記アダプタ１５は、アダプタ本体１６と接続部材１７とよりなる。
【００２０】
前記アダプタ本体１６は、一端に第１の外ねじ（第１のタイプの外ねじ）１８を有し、他端に前記第１の外ねじ１８とは異なる第２の外ねじ（第２のタイプの外ねじ）１９を有する。
【００２１】
また、前記接続部材１７は、一端に前記第２の外ねじ１９に螺合する第２の内ねじ２０を有する袋ナット２１が抜止めリング２２を介して回動自在に取り付けられるとともに、他端に前記第１の外ねじ１８に螺合する第１の内ねじ（第１のタイプの内ねじ）２３が形成されたナット部２４を備えている。
【００２２】
また、図５において、３０は、水用偏心管１４ａに設けたナット４０の第１の内ねじで、ソケット本体２の前記第１の外ねじ４に螺合する。３１は、湯用偏心管１４ｂに設けたナット４１の第１の内ねじで、アダプタ本体１６の前記第１の外ねじ１８に螺合する。
また、水栓本体１３は、背面の左右の位置に、水導入部４２および湯導入部４３を有し、水導入部４２は、接続部材３のナット部１１に形成した第１の内ねじ１０に螺合する第１の外ねじ３２を有し、湯導入部４３は、接続部材１７のナット部２４に形成された第１の内ねじ２３に螺合する第１の外ねじ（図示せず）を有する。
【００２３】
而して、図５に示す第１のタイプのねじを有する水栓本体１３および偏心管１４ａ，１４ｂ間に分岐ソケット１とアダプタ１５を設置するには、水用偏心管１４ａに設けたナット４０の第１の内ねじ３０とソケット本体２の第１の外ねじ４を接続するとともに、図１にも示すようにソケット本体２の第２の外ねじ５と接続部材３の第２の内ねじ７を接続し、更に、接続部材３の第１の内ねじ１０と水導入部４２の第１の外ねじ３２を接続する。同時に、湯用偏心管１４ｂに設けたナット４１の第１の内ねじ３１とアダプタ本体１６の第１の外ねじ１８を接続するとともに、図３にも示すようにアダプタ本体１６の第２の外ねじ１９と接続部材１７の第２の内ねじ２０を接続し、更に、接続部材１７の第１の内ねじ２３と湯導入部４３の第１の外ねじを接続する。
【００２４】
そして、例えば図６に示すように水栓本体１３および偏心管１４ａ，１４ｂが、第２のタイプのねじを有するものである場合は、水用偏心管１４ａに設けたナット４０’の第２の内ねじ３０’と図２に示すソケット本体２の第２の外ねじ５を接続するとともに、図２にも示すようにソケット本体２の第１の外ねじ４と接続部材３の第１の内ねじ１０を接続し、更に、接続部材３の第２の内ねじ７と水導入部４２’の第２の外ねじ３２’を接続する。同時に、湯用偏心管１４ｂに設けたナット４１’の第２の内ねじ３１’と図４に示すアダプタ本体１６の第２の外ねじ１９を接続するとともに、図４にも示すようにアダプタ本体１６の第１の外ねじ１８と接続部材１７の第１の内ねじ２３を接続し、更に、接続部材１７の第２の内ねじ２０と水栓本体１３に設けた湯導入部４３’の第２の外ねじ４３ａ’を接続する。なお、図６に示す湯水混合水栓５０は、サーモバルブを有するサーモ型水栓である。
【００２５】
この発明では、以下の利点を有する。
【００２６】
前記利点を説明するために図７、図８に比較例を示す。
【００２７】
図７は、図１に対応するものである。また、図８は、図２に対応するものである。図７、図８において、分岐ソケット１００は、ソケット本体２００と接続部材３００とよりなる。前記ソケット本体２００は、一端に第１の外ねじ４００を有し、他端に前記第１の外ねじ４００とは異なる第２の内ねじ５００を有する袋ナット８００が抜止めリング９００を介して回動自在に取り付けられるとともに、両外ねじ４００，５００間に分岐部６００を有する。一方、前記接続部材３００は、一端に前記第２の内ねじ５００に螺合する第２の外ねじ７００を有し、他端に前記第１の外ねじ４００に螺合する第１の内ねじ１０００が形成されたナット部１１００を備えている。
【００２８】
そして、図１、図２に示した分岐ソケット１では、ソケット本体２と袋ナット８は別体であるのに対し、図７、図８に示した分岐ソケット１００では、ソケット本体２００に袋ナット８００が設けられていることから、ソケット本体２に比してソケット本体２００の方が歩留りが悪くなり易い。一方、分岐ソケット１の接続部材３に袋ナット８が設けられているが、その分接続部材３の歩留りが接続部材３００に比して悪くなり易いが、ソケット本体２００の歩留りが悪くなることによるコスト的な損失に比べると分岐ソケット１の方がコスト安に製作できるという利点をこの発明は有する。
【００２９】
【発明の効果】
この発明では、二種のタイプのねじを有する水栓本体と偏心管に兼用できる分岐ソケットおよびこの分岐ソケットと共に用いるアダプタを提供することができる。
【図面の簡単な説明】
【図１】  第１のタイプのねじを有する水栓本体および偏心管に対応可能なように位置させたこの発明に係る分岐ソケットの一実施形態を示す構成説明図である。
【図２】  第２のタイプのねじを有する水栓本体および偏心管に対応可能なように位置させた上記実施形態の分岐ソケットを示す構成説明図である。
【図３】  第１のタイプのねじを有する水栓本体および偏心管に対応可能なように位置させたこの発明に係るアダプタの一実施形態を示す構成説明図である。
【図４】  第２のタイプのねじを有する水栓本体および偏心管に対応可能なように位置させた上記実施形態のアダプタを示す構成説明図である。
【図５】  上記実施形態を第１のタイプのねじを有する水栓本体および偏心管に適用した分解斜視図である。
【図６】  上記実施形態の分岐ソケットおよびこの分岐ソケットと共に用いるアダプタが適用される、第２のタイプのねじを有する水栓本体および偏心管を示す分解斜視図である。
【図７】  第１のタイプのねじを有する水栓本体および偏心管に対応可能なように位置させた比較例を示す構成説明図である。
【図８】  第２のタイプのねじを有する水栓本体および偏心管に対応可能なように位置させた比較例を示す構成説明図である。
【図９】  従来例の分岐ソケット設置における第１工程を示す斜視図である。
【図１０】  従来例の分岐ソケット設置における第２工程を示す斜視図である。
【図１１】  従来例の分岐ソケット設置における第３工程を示す斜視図である。
【図１２】  従来例の分岐ソケット設置における第４工程を示す斜視図である。
【図１３】  従来例の分岐ソケット設置における第５工程を示す斜視図である。
【図１４】  従来例の分岐ソケット設置における第６工程を示す斜視図である。
【図１５】  従来例の分岐ソケット設置における第７工程を示す斜視図である。
【符号の説明】
１…分岐ソケット、２…ソケット本体、３…接続部材、１３…水栓本体、１４ａ…水用偏心管、４…第１の外ねじ、５…第２の外ねじ、６…分岐部、７…第２の内ねじ、８…袋ナット、９…抜止めリング、１０…第１の内ねじ、１１…ナット部。
【図１】
0004105889.tif 000002
【図２】
0004105889.tif 000003
【図３】
0004105889.tif 000004
【図４】
0004105889.tif 000005
【図５】
0004105889.tif 000006
【図６】
0004105889.tif 000007
【図７】
0004105889.tif 000008
【図８】
0004105889.tif 000009
【図９】
0004105889.tif 000010
【図１０】
0004105889.tif 000011
【図１１】
0004105889.tif 000012
【図１２】
0004105889.tif 000013
【図１３】
0004105889.tif 000014
【図１４】
0004105889.tif 000015
【図１５】
0004105889.tif 000016